(57)【要約】【課題】装着時のフィルターの径方向及び厚さ方向のガタつきを確実に防止するとともに、複数枚のフィルターに対し容易に対応することができるフィルターホルダーを提供することを目的とする。【解決手段】面状光源から出た光を前方に向けて反射するリフレクター５の前面開口部を覆うように配設される円板状のフィルターＦを保持するフィルターホルダー６において、ガラスホルダー７の内側に収納される円筒部６ａと、円筒部６ａの内周面Ｓ１から突設された複数の環状凸部６ｄとを備え、円筒部６ａと複数の環状凸部６ｄとがシリコーンゴム等の弾性部材とによって一体的に構成されるとともに、複数の環状凸部６ｄのうちの、隣接する一対の環状凸部６ｄの間に、フィルターＦの外縁部を保持する環状凹部Ｇ１が形成されている。【選択図】図５
2015130232.tif 000002
【特許請求の範囲】
【請求項１】
光源から出た光を前方に向けて反射するリフレクターの前面開口部を覆うように配設される円板状のフィルターを保持するフィルターホルダーにおいて、
保持部材の内側に収納される円筒部と、
前記円筒部の内周面から突設された複数の環状凸部と、を備え、
前記円筒部と前記複数の環状凸部とが弾性部材とによって一体的に構成されるとともに、前記複数の環状凸部のうちの、隣接する２つの環状凸部と前記円筒部とによって、前記フィルターの外縁部を保持する環状凹部が形成されている、
ことを特徴とするフィルターホルダー。
【請求項２】
前記円筒部の外周面のうちの前記リフレクターに近い後端側から環状に突設されて、前記リフレクターの前端側と前記保持部材の後端側とによって挟持されるフランジ部を備える、
ことを特徴とする請求項１に記載のフィルターホルダー。
【請求項３】
前記円筒部の内周面及び前記環状凸部の内周面には、バッフル加工が施されている、
ことを特徴とする請求項１又は２に記載のフィルターホルダー。
【請求項４】
光源と
前記光源から出た光を前方に向けて反射させるリフレクターと、
前記リフレクターの前面開口部を覆うように配設される円板状のフィルターを保持するフィルターホルダーと、
前記フィルターホルダーを保持する保持部材と、を備え、
前記フィルターホルダーが、請求項１ないし３のいずれか１項に記載のフィルターホルダーである、
ことを特徴とする照明器具。
【発明の詳細な説明】
【技術分野】
【０００１】
本発明は、スポットライト，ダウンライト等の照明器具に着脱されるフィルターを保持するフィルターホルダー、及びこれを備えた照明器具に関する。
【背景技術】
【０００２】
スポットライト，ダウンライト等の照明器具において、光源から出た光を演出するためにフィルターを使用する技術が知られている（例えば、特許文献１参照）。フィルターは、光源から出た光を前方に向けて反射させるリフレクターの前面開口部を覆うように装着される。フィルターとしては、例えば、光の色を変更するもの、光の質を変更するもの等がある。これらのフィルターを交換することにより、あるいは、複数のフィルターを組み合わせることにより、種々に光を演出することができる。
【０００３】
特許文献１では、フィルターの取り付けについて、段落［００６６］及び図１０に以下のように記載されている。すなわち、「コーン２０の大径部２４に選択したフィルター５０を挿入した状態で、取付基台１２の小径部１８を大径部２４に挿入すると共に螺合することにより、コーン２０の段部２５と取付基台１２の小径部１８の下端１８ａ間でフィルター５０の外縁部分を挟持して取付、固定できるようになっている。」と記載されている。つまり、フィルターは、その外縁部分の表面及び裏面が、２つの部材により挟持されることで取付，固定されている。
【０００４】
また、フィルターの取り付けについては、円筒状の取付部材の内周面に前側から挿入した後、内周面に形成された環状の凹部に、リングスプリングを装着することにより、このリングスプリングによりフィルターの外縁部の前面を支持する、という技術が一般に知られている。
【先行技術文献】
【特許文献】
【０００５】
【特許文献１】特開２０１３−１８２７７４号公報
【発明の概要】
【発明が解決しようとする課題】
【０００６】
しかしながら、特許文献１の発明によると、大径部の内周とここに挿入されるフィルターの外周との間に、フィルターの挿入を可能とするための間隙を確保する必要があるため、大径部と小径部との螺合時にその締め付けが十分に行われない場合には、フィルターが径方向及び厚さ方向（表裏方向）にガタつくという問題があった。
リングスプリングを使用する場合にも、その構造上、同様にフィルターが径方向及び厚さ方向にガタつくという問題がある。
【０００７】
さらに、特許文献１の発明及びリングスプリングを使用する場合の双方とも、複数枚のフィルターに対応するためには、フィルター間にスペーサを挿入する等、装着が煩雑であるという問題があった。
【０００８】
本発明は、上述した事情に鑑みてなされたものであり、装着時のフィルターの径方向及び厚さ方向のガタつきを確実に防止するとともに、複数枚のフィルターに対し容易に対応することができるフィルターホルダー、及びこれを備えた照明器具を提供することを目的とする。
【課題を解決するための手段】
【０００９】
請求項１に係る発明は、フィルターホルダーにおいて、光源から出た光を前方に向けて反射するリフレクターの前面開口部を覆うように配設される円板状のフィルターを保持するフィルターホルダーにおいて、保持部材の内側に収納される円筒部と、前記円筒部の内周面から突設された複数の環状凸部と、を備え、前記円筒部と前記複数の環状凸部とが弾性部材とによって一体的に構成されるとともに、前記複数の環状凸部のうちの、隣接する一対の環状凸部の間に、前記フィルターの外縁部を保持する環状凹部が形成されている、ことを特徴とする。
【００１０】
請求項２に係る発明は、請求項１に係るフィルターホルダーにおいて、前記円筒部の外周面のうちの前記リフレクターに近い後端側から環状に突設されて、前記リフレクターの前端側と前記保持部材の後端側とによって挟持されるフランジ部を備える、ことを特徴とする。
【００１１】
請求項３に係る発明は、請求項１又は２に係るフィルターホルダーにおいて、前記円筒部の内周面及び前記環状凸部の内周面には、バッフル加工が施されている、ことを特徴とする。
【００１２】
請求項４に係る発明は、照明器具において、光源と前記光源から出た光を前方に向けて反射させるリフレクターと、前記リフレクターの前面開口部を覆うように配設される円板状のフィルターを保持するフィルターホルダーと、前記フィルターホルダーを保持する保持部材と、を備え、前記フィルターホルダーが、請求項１ないし３のいずれか１項に係るフィルターホルダーである、ことを特徴とする。
【発明の効果】
【００１３】
請求項１のフィルターホルダーによれば、弾性部材によって形成された円筒部及び隣接する２つの環状凸部によって形成された環状凹部により、円板状のフィルターの外縁部を確実に保持することができる。すなわち、フィルターの外縁部のうちの、外周面を環状凸部の内周面に当接させ、また、外縁部のうちの表面側及び裏面側に位置する面を２つの環状凸部に当接させた状態で、フィルターの外縁部を弾性部材が発揮する弾性に基づいて保持することができるので、フィルターの径方向及び厚さ方向へのガタつきを防止することができる。また、例えば２枚のフィルターを保持する場合には、例えば、３つの環状凸部を設けておけば、２枚のフィルターの間に位置する環状凸部がスペーサとしても作用するので、特に別個にスペーサ等を準備する必要がなく、簡単に対処することができる。さらに、３枚以上のフィルターについても同様である。
【００１４】
請求項２の発明によれば、円筒部のフランジ部をリフレクターの前端側と保持部材の後端側との間に挟みこむことで、フィルターホルダーの前後方向の位置決めを行うことができる。
【００１５】
請求項３の発明によれば、バッフル加工により、フィルターホルダーに当たった光を拡散させて、間接グレアを低減することができるため、フィルターを装着しない場合でも、フィルターホルダーを取り付けたままとすることができる。
請求項４の発明によれば、照明器具において、上述の効果を奏することができる。
【図面の簡単な説明】
【００１６】
【図１】前側から見た照明器具１００の分解斜視図である。
【図２】照明器具１００の正面図である。
【図３】図２中のＡ−Ａ線矢視図である。
【図４】フィルターホルダー６を説明する図であり、（Ａ）は正面図（前面図）、（Ｂ）は右側面図、（Ｃ）は（Ａ）中のＢ−Ｂ線矢視図、（Ｄ）は背面図（後面図）、（Ｅ）は（Ａ）中の部分Ｃの拡大図、（Ｆ）は（Ｃ）中のＤ−Ｄ線矢視拡大図、（Ｇ）は前側から見た斜視図である。
【図５】フィルターホルダー６の図３中の上端部近傍の拡大図である。
【発明を実施するための形態】
【００１７】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００１８】
まず、図１〜図３を参照して本発明を適用した実施形態に係る照明器具１００について説明し、つづいて、図４，図５を参照して本発明を適用した実施形態に係るフィルターホルダー６について説明する。
【００１９】
なお、以下では、説明の便宜上、図１中の左側、右側がそれぞれ照明器具１００の前側、後側に対応し、また、図１中の上側、下側がそれぞれ照明器具１００の上側、下側に対応するものとして説明する。
【００２０】
ここで、図１は、前側から見た照明器具１００の分解斜視図である。また、図２は、照明器具１００の正面図である。そして、図３は、図２中のＡ−Ａ線矢視図である。
【００２１】
以下の説明では、照明器具１００が、屋外に設置されるスポットライトである場合を例に説明する。このため、屋内用のスポットライトと比較して、後述するＯリングＲ１〜Ｒ６等により防水性が向上され、さらに、後述するアーム１３等により、照明器具本体Ｂｏの回転（ターン）及び首振り（チルト）が可能となっている。
【００２２】
照明器具１００は、図１に示すように、照明器具本体Ｂｏとこの照明器具本体Ｂｏを所定の位置に取り付けるための取付具Ｍｏとから構成されている。照明器具本体Ｂｏは、軸心Ｃ１に沿って後側からほぼ順に、アウターガード１、ソケット２、面状光源（光源）３、インナーボディー４、リフレクター５、フィルターＦ１，Ｆ２（区別する必要がない場合には、単にフィルターＦという。）、フィルターホルダー６、ガラスホルダー（保持部材）７、プロテクトガラス８、及びフード９を備えている。一方、取付具Ｍｏは、下側からほぼ順に、ベース１０、アーム１３（下アーム１１、上アーム１２）、チルトホルダー１４、及びパンホルダー１５を備えている。さらに、照明器具１００は、防水や止水のためのＯリングＲ１〜Ｒ６、及び上述の各部材を締結（固定）するための多数のビスを備えている。
【００２３】
上述の照明器具本体Ｂｏ（アウターガード１〜フード９）のうち、アウターガード１は、図１，図３に示すように、円筒状の外壁１ａと、外壁１ａの後端側内側に配置されたヒートシンク１ｂと、多数の放熱フィン１ｃとを有している。放熱フィン１ｃは、外壁１ａとヒートシンク１ｂとの間に放射状に多数設けられている。さらに、放熱フィン１ｃは、後側から見た背面視の形状が湾曲形状に形成されるとともに、外壁１ａの前端まで延設されていて、放熱効果を高めるべく表面積の増大が図られている。外壁１ａにおける前後方向の中心よりも前寄りの下側には、後述する上アーム１２の上端が貫通する透孔１ｄが穿設されている。アウターガード１全体は、例えば、アルミニウムのダイキャストで形成されていて、後述の面状光源３で発生した熱を、速やかにヒートシンクに移動させ、さらに、放熱フィン１ｃ及び外壁１ａから放熱するようになっている。
【００２４】
面状光源３は、例えば、多数のＬＥＤ素子を有するＣＯＢ（チップ・オン・ボード）タイプのＬＥＤの表面を、蛍光体を含む樹脂で覆って形成されたものを使用することができる。面状光源３は、例えば、円形に形成されていて、ソケット２により、上述のヒートシンク１ｂの取付面（前端面）１ｅに固定されている。面状光源３は、前方に向かってほぼ１２０度の照射角で光を発生させる。なお、光源としては、上述の面状光源３に限らず、他の面状光源や、ハロゲンランプ，ＨＩＤランプ（高輝度放電ランプ ）などのいわゆる点状光源を使用してもよい。
【００２５】
インナーボディー４は、筒状部４ａと、この筒状部４ａの前端側に設けられたフランジ部４ｂと、筒状部４ａの下端に突設された取付部４ｃとを有している。筒状部４ａの後端側上部には、筒状部４ａの内側と外側とを貫通する透孔（不図示）が穿設されている。この透孔は、シートカバー４ｄで固定された内圧調整膜４ｅで覆われている。内圧調整膜４ｅは、面状光源３の発熱に伴って上昇した内圧を透孔から外部に逃がすとともに、外部からの水や塵埃の浸入を防止するものである。インナーボディー４は、筒状部４ａの後端がＯリングＲ１を介してヒートシンク１ｂの取付面１ｅに固定され、また、取付部４ｃには上アーム１２の上端が、回動可能に取り付けられている。インナーボディー４は、その内側に、次に説明するリフレクター５が収納されている。
【００２６】
リフレクター５は、その内面が放物曲面状に形成された反射面５ａとなっている。リフレクター５の後端は面状光源３を配設するためにカットされ、また、前端は、外側に屈曲されてフランジ部５ｂを構成している。リフレクター５は、そのフランジ部５ｂがインナーボディー４のフランジ部４ｂに前側から固定され、放物曲面状の反射面５ａの焦点が面状光源３の中心に合わされている。これにより、面状光源３から出た光は、反射面５ａで反射されて、軸心Ｃ１に対してほぼ平行となって前面開口部５ｃから出て行くようになっている。
【００２７】
フィルターホルダー６は、円筒部６ａとその後端に形成されたフランジ部６ｂとを有している。円筒部６ａの内周面には、２つの環状凹部が形成されていて、これら環状凹部により、光を演出する円板状のフィルターＦ１，Ｆ２を保持している。フィルターＦとしては、光の演出が異なる別のフィルターＦを装着することも可能である。フィルターホルダー６は、シリコーンゴム等の弾性部材によって形成されていて、フランジ部６ｂがリフレクター５と次に説明するガラスホルダー７とによって挟持されている。
【００２８】
ガラスホルダー７は、筒状部７ａとその後端に形成されたフランジ部７ｂとを有している。ガラスホルダー７は、その筒状部７ａの内側に、フィルターホルダー６の円筒部６ａが挿入された状態で、筒状部７ａの後端がリフレクター５のフランジ部５ｂとの間で、フィルターホルダー６のフランジ部６ｂを挟持している。
【００２９】
フード９は、筒状部９ａとその前端から内側に延びる円環部９ｂとを有している。フード９は、円環部９ｂの後端面がＯリングＲ３を介してプロテクトガラス８をガラスホルダー７のフランジ部７ｂに押圧し、また、筒状部９ａがＯリングＲ２を介してインナーボディー４のフランジ部４ｂの外周部に嵌合された状態で、インナーボディー４のフランジ部４ｂの前側に、六角穴付きのビスＢ４によって固定されている。
【００３０】
上述の取付具Ｍｏ（ベース１０〜パンホルダー１５）のうち、ベース１０は、容器状の下ベース１０ａと蓋状の上ベース１０ｂとを組み合わせて構成されていて、上ベース１０ｂの上面には、台座１０ｃが設けられている。
【００３１】
下アーム１１は、上端に下チルト部１１ａを有しており、下端がＯリングＲ４を介して上ベース１０ｂの台座１０ｃに固定されることにより、ベース１０に立設されている。
【００３２】
上アーム１２は、下端に上チルト部１２ａを有している。この上チルト部１２ａは、ＯリングＲ５を介して下アーム１１の下チルト部１１ａに回動可能に係合されるとともに、六角穴付きのビスＢ１によって固定されている。これにより、ビスＢ１を緩めることにより、上アーム１２は、下アーム１１に対して上下方向に傾斜（チルト）することが可能となり、ビスＢ１を締め付けることにより、そのときの傾斜角（チルト角）を維持した状態で固定される。
【００３３】
チルトホルダー１４は、下アーム１１の下チルト部１１ａの右端面に、ストッパとして配設されている。チルトホルダー１４は、下チルト部１１ａによって回動可能に支持されるとともに、一部が上アーム１２に固定されている。また、チルトホルダー１４と下チルト部１１ａの右端面との間には間隙が設けられている。ビスＢ１を緩めて行くと、下チルト部１１ａは、上チルト部１２ａに対して間隙に相当する距離だけ移動してチルトホルダー１４に当接し、それ以上の移動が禁止される。さらに、このときの下チルト部１１ａの移動範囲内では、ＯリングＲ５による止水性能は低下しないようになっている。つまり、ビスＢ１を緩めてチルト角を調整する際にも、確実に止水を行うことができる。また、このチルトホルダー１４には、目盛りが付されていて、下アーム１１に対する上アーム１２のチルト角を確認することができるようになっている。
【００３４】
上アーム１２の上下方向のほぼ中央には、外周面を４等分する位置のそれぞれにセットビスＢ２が、頭部を突出させた状態で螺合されている。また、上アーム１２の上端は、外周面にＯリングＲ６が装着された状態で、上述のアウターガード１の外壁１ａの透孔１ｄを貫通してインナーボディー４の取付部４ｃに挿入されている。このとき、取付部４ｃの下端がセットビスＢ２の頭部に当接している。すなわち、インナーボディー４は、上アーム１２のセットビスＢ２に乗っかった状態で、回動可能となっている。さらに、取付部４ｃには、抜け止めビスＢ３が螺合されていて、その先端部を上アーム１２の上端部に係合させている。
【００３５】
パンホルダー１５は、インナーボディー４の取付部４ｃに下方から六角穴付きのビスＢ５によって固定されている。パンホルダー１５は、取付部４ｃの下端との間に、上述の４本のセットビスＢ２の頭部を挟み込んで、上アーム１２に対するインナーボディー４の上下方向の位置を規制するとともに、インナーボディー４の回動を可能にしている。パンホルダー１５は、さらに、４本のセットビスＢ２及び抜け止めビスＢ３を覆って、これらが不要に操作されないようにしている。
【００３６】
上述の照明器具１００において、面状光源３から出た光は、インナーボディー４に収納されたリフレクター５の反射面５ａで反射され、フィルターＦ１，Ｆ２、及びプロテクトガラス８を透過して、外部に出て行く。このとき面状光源３で発生した熱は、アウターガード１等を介して放出される。また、下アーム１１に対して上アーム１２が揺動可能（チルト可能）に取り付けられ、さらに、上アーム１２に対してインナーボディー４が回動可能（ターン可能）に取り付けられている。つまり、照明器具本体Ｂｏは、取付具Ｍｏに対して、チルト可能かつターン可能となっている。さらに、上述のように隣接する各部材間に、多数のＯリングＲ１〜Ｒ６を介装することにより、防水性・止水性を向上させている。
つづいて、図４，図５を参照してフィルターホルダー６及びその周辺の構造について説明する。
【００３７】
ここで、図４は、フィルターホルダー６を説明する図であり、（Ａ）は正面図（前面図）、（Ｂ）は右側面図、（Ｃ）は（Ａ）中のＢ−Ｂ線矢視図、（Ｄ）は背面図（後面図）、（Ｅ）は（Ａ）中の部分Ｃの拡大図、（Ｆ）は（Ｃ）中のＤ−Ｄ線矢視拡大図、（Ｇ）は前側から見た斜視図である。また、図５は、フィルターホルダー６の図３中の上端部近傍の拡大図である。
【００３８】
図４，図５に示すように、フィルターＦを保持する保持部材としてのフィルターホルダー６は、円筒部６ａと、フランジ部６ｂと、折り返し部６ｃと、複数（図示例では３つ）の環状凸部６ｄとを有していて、これらは弾性部材によって一体的に形成されている。弾性部材としては、例えば、シリコーンゴムを使用すると好適である。
【００３９】
円筒部６ａは、軸心Ｃ１を中心としたほぼ円筒状に形成されている。フランジ部６ｂは、円筒部６ａの外周面のうちのリフレクター５に近い後端側から外側に向けて環状に突設されている。折り返し部６ｃは、フランジ部６ｂの外周端から前側に向けて折り返されている。環状凸部６ｄは、円筒部６ａの内周面Ｓ１から内側に向けて突設されている。環状凸部６ｄは、フィルターＦの厚さに対応する所定の間隙を介して、複数（図示例では３つ）のものが突設されている。
【００４０】
複数の環状凸部６ｄのうちの、隣接する２つの環状凸部６ｄと円筒部６ａの内周面Ｓ１とによって、フィルターＦの外縁部Ｆａを保持する環状凹部Ｇ１が形成されている。すなわち、フィルターＦの外縁部Ｆａのうちの、外周面ａを円筒部６ａの内周面Ｓ１に当接させ、また、外縁部Ｆａのうちの表面側及び裏面側に位置する面ｂ，ｃを２つの環状凸部６ｄに当接させた状態で、フィルターＦの外縁部Ｆａを弾性に基づいて保持することができるので、フィルターＦの径方向及び厚さ方向（前後方向）へのガタつきを防止することができる。また、例えば２枚のフィルターＦを保持する場合には、図示のように、３つの環状凸部６ｄを設ければ、２枚のフィルターＦの間に位置する環状凸部６ｄがスペーサとしても作用するので、特に別個にスペーサ等を準備する必要がなく、簡単に対処することができる。さらに、環状凸部６ｄを増やすことにより、３枚以上のフィルターＦについても同様に対処することができる。
【００４１】
フィルターホルダー６における円筒部６ａの内周面Ｓ１及び環状凸部６ｄの内周面Ｓ２には、バッフル加工が施されている。図示例のバッフル加工は、軸心Ｃ１に沿った凸部と凹部とを周方向に多数設けたものである。バッフル加工は、面状光源３からの光を拡散させて反射して間接グレアを低減するものである。つまり、反射光をぼかして、グレア感を和らげている。
【００４２】
つづいて、図５を参照して、フィルターホルダー６の取付けについて説明する。フィルターホルダー６は、ガラスホルダー７によって保持され、このガラスホルダー７は、フード９に固定されている。
ここで、まず、ガラスホルダー７及びフード９について説明する。
【００４３】
ガラスホルダー７は、筒状部７ａとこの筒状部７ａの後端から外側に延びるフランジ部７ｂとを有していて、フランジ部７ｂの外周近傍には前後方向に透孔７ｃが穿設されている。ガラスホルダー７は、フランジ部７ｂがフード９の円環部９ｂに後側からビス（不図示）によって固定されており、また、筒状部７ａの内側には、後述するように、フィルターホルダー６が収納されている。
【００４４】
フード９は、筒状部９ａとこの筒状部９ａの後端から内側に延びる円環部９ｂとを有しており、六角穴付きのビスＢ４によって、インナーボディー４のフランジ部４ｂに固定されている。ビスＢ４は、フード９の円環部９ｂの外周近傍を前側から貫通し、さらにガラスホルダー７の透孔７ｃを貫通し、先端部をインナーボディー４のフランジ部４ｂに螺合させている。ビスＢ４は、この際、その頭部により、ゴムパッキン付きの防水シール座金Ｗ１のそのゴムパッキンを押し潰してねじ部に食い込ませることにより、この部分の止水を図っている。なお、ビスＢ４には、止め輪Ｅ１（例えば、Ｅリング）が装着されていて、ビスＢ４を緩めた際に、ガラスホルダー７がフード９から脱落するのを防止するとともに、ビスＢ４自体が、フード９及びガラスホルダー７から抜け落ちるのを防止している。ビスＢ４は、フード９を周方向に３等分する位置のそれぞれに配設されていて、３本でフード９をインナーボディー４のフランジ部４ｂに固定している。
【００４５】
フード９は、この固定により、インナーボディー４との間、及びプロテクトガラス８との間の止水を図っている。すなわち、フード９は、筒状部９ａの内周面を、インナーボディー４のフランジ部４ｂの外周面に嵌合させている。このとき、フランジ部４ｂの外周面のリング溝Ｇ２に装着されているＯリングＲ２を、筒状部９ａの内周面の後端側で押しつぶす。さらに、円環部９ｂの内周側の後面のリング溝Ｇ３に装着されているＯリングＲ３を、プロテクトガラス８に前面側から押し潰して、プロテクトガラス８をガラスホルダー７に押圧している。フード９は、ＯリングＲ２，Ｒ３、及び防水シール座金Ｗ１により、それぞれの箇所での止水を図っている。なお、上述のインナーボディー４の内側をはじめとする、照明器具１００における要止水領域（防水が必要な領域）は、本実施形態では、図３に示す、インナーボディー４とフード９とプロテクトガラス８と上アーム１２とヒートシンク１ｂとに囲まれた領域である。この要止水領域は、フード９近傍のＯリングＲ２，Ｒ３、防水シール座金Ｗ１をはじめとして、他に図１，図３に示すＯリングＲ１，Ｒ６によって止水が図られている。
【００４６】
図５に示すように、フィルターホルダー６は、上述のガラスホルダー７によって保持されている。フィルターホルダー６は、その円筒部６ａがガラスホルダー７の筒状部７ａの内側で保持され、フランジ部６ｂが筒状部７ａと上述のリフレクター５のフランジ部５ｂとの間で挟持され、折り返し部６ｃを筒状部７ａの外周側を前方に向かって折り返すようにして、保持されている。このとき、フィルターホルダー６のフランジ部６ｂは、挟持されて圧縮されることにより、フランジ部６ｂの前側及び後側の止水を図ることができる。また、フランジ部６ｂは、挟持により圧縮された反力により、ガラスホルダー７のフランジ部７ｂ及びプロテクトガラス８を介して、ＯリングＲ３を後側から押し潰すので、ＯリングＲ３の止水性能を高めることができる。さらに、円筒部６ａの前端面６ｅを弾性に基づいてプロテクトガラス８の後面に押し付けることにより、この部分の止水を図ることができる。このように、フィルターホルダー６は、フランジ部６ｂ近傍及び前端面６ｅ近傍の止水を図ることができるため、万一、ＯリングＲ２，Ｒ３、防水シール座金Ｗ１等から水が浸入した場合であっても、浸入した水がインナーボディー４等の内側に浸入することを有効に防止することができる。
【００４７】
上述のフィルターホルダー６は、フィルターＦをその径方向及び厚さ方向（前後方向）にガタつくことなく安定して保持することができる上、さらに、プロテクトガラス８を弾性的に保持することができる。このため、プロテクトガラス８の前面側のＯリングＲ３と対をなして、プロテクトガラス８の後面側を弾性的に挟持する緩衝部材等を別個に設ける必要がない。つまり、プロテクトガラス８を弾性的に保持するための構成を簡略化することができる。このため、フィルターホルダー６は、フィルターＦを装着しない場合でも、照明器具本体Ｂｏに装着しておくことが好ましい。フィルターホルダー６の円筒部６ａ及び環状凸部６ｄの内周面Ｓ１，Ｓ２に施したバッフル加工は、フィルターＦが装着されていない場合に、面状光源３からの光を拡散させて反射し、グレア感を弱めるのに寄与することになる。
以下に、以上説明したフィルターホルダー６の作用、効果を整理する。
【００４８】
上述のフィルターホルダー６によれば、全体がシリコーンゴム等の弾性部材によって一体的に形成されていて、弾性変形が容易であるため、フィルターホルダー６に対するフィルターＦの着脱が容易である。
【００４９】
フィルターホルダー６によれば、シリコーンゴム等の弾性部材によって形成された円筒部６ａ及び隣接する２つの環状凸部６ｄによって形成された環状凹部Ｇ１により、円板状のフィルターＦの外縁部Ｆａを確実に保持することができる。すなわち、フィルターの外縁部Ｆａのうちの、外周面ａを環状凸部６ｄの内周面Ｓ１に当接させ、また、外縁部Ｆａのうちの表面側及び裏面側に位置する面ｂ，ｃを２つの環状凸部６ｄに当接させた状態で、フィルターＦの外縁部Ｆａをシリコーンゴム等が発揮する弾性に基づいて保持することができるので、フィルターＦの径方向及び厚さ方向へのガタつきを防止することができる。
【００５０】
また、例えば２枚のフィルターＦを保持する場合には、あらかじめ３つの環状凸部６ｄを有するフィルターホルダー６を準備しておけば、２枚のフィルターＦの間に位置する環状凸部６ｄがスペーサとしても作用するので、特に別個にスペーサ等を準備する必要がなく、簡単に対処することができる。さらに、３枚以上のフィルターについても同様である。
【００５１】
また、フィルターホルダー６は、そのフランジ部６ｂをリフレクター５の前端側と保ガラスホルダー７の後端側との間に挟みこむことで、リフレクター５等に対する前後方向の位置決めを簡単に、しかも確実に行うことができる。
【００５２】
また、バッフル加工により、フィルターホルダー６に当たった光を拡散させて反射させて間接グレアを抑制することができるため、フィルターＦをしない場合でも、フィルターホルダー６を装着したままとすることができる。
【符号の説明】
【００５３】
３      面状光源（光源）
５      リフレクター
５ｃ    前面開口部
６      フィルターホルダー
６ａ    円筒部
６ｂ    フランジ部
６ｄ    環状凸部
７      ガラスホルダー（保持部材）
１００  照明器具
Ｆ，Ｆ１，Ｆ２    フィルター
Ｆａ    外縁部
Ｇ１    環状凹部
Ｓ１    円筒部の内周面
Ｓ２    環状凸部の内周面
【図１】
2015130232.tif 000003
【図２】
2015130232.tif 000004
【図３】
2015130232.tif 000005
【図４】
2015130232.tif 000006
【図５】
2015130232.tif 000007